(57)【要約】【課題】  太陽光で発電した電気エネルギーにより作動する二酸化炭素冷媒を用いた冷媒回路を備えた装置であって、冷凍、製氷、冷房、暖房、給湯、貯湯などを同時に行うことができる太陽光発電装置搭載冷温熱利用装置の提供。【解決手段】  太陽電池パネル２を備えた太陽光発電装置５と、太陽光発電装置５で発電した電気エネルギーにより作動する冷媒回路を有する冷温熱発生装置６と、冷温熱発生装置６で発生した冷熱および温熱を利用するための装置７、８、９を備え、前記冷媒回路の冷媒として二酸化炭素を用いた太陽光発電装置搭載冷温熱利用装置１により課題を解決できる。【選択図】  図１
2006200821.tif 000002
【特許請求の範囲】
【請求項１】
太陽電池パネルを備えた太陽光発電装置と、前記太陽光発電装置で発電した電気エネルギーにより作動する二酸化炭素を冷媒として用いた冷媒回路を有する冷温熱発生装置と、前記冷温熱発生装置で発生した冷熱および温熱を利用するための装置を備えたことを特徴とする太陽光発電装置搭載冷温熱利用装置。
【請求項２】
前記冷温熱発生装置で発生した冷熱および温熱を蓄える蓄冷温熱装置を備えたことを特徴とする請求項１記載の太陽光発電装置搭載冷温熱利用装置。
【請求項３】
前記冷熱および温熱を利用するための装置が、製氷、蓄冷熱、冷凍、冷暖房、給湯、貯湯から選ばれる少なくとも１つであることを特徴とする請求項１あるいは請求項２記載の太陽光発電装置搭載冷温熱利用装置。
【請求項４】
前記太陽光発電装置で発電した電気エネルギーを蓄える蓄電池を備え、前記蓄電池の電気エネルギーにより前記冷温熱発生装置の冷媒回路を作動させることを特徴とする請求項１から請求項３のいずれかに記載の太陽光発電装置搭載冷温熱利用装置。
【発明の詳細な説明】
【技術分野】
【０００１】
本発明は、冷房、暖房、製氷、給湯、貯湯などを行うことができる太陽電池パネルを備えた太陽光発電装置搭載冷温熱利用装置に関するものである。
【背景技術】
【０００２】
従来、トラックなどの車両の荷台に冷凍コンテナを積載し、この冷凍コンテナの外側壁面に太陽電池パネルを設置し、太陽光で発電した電気エネルギーにより冷媒回路の電動圧縮機を駆動して前記冷凍コンテナ内を冷却するようにした車載用冷却装置の電源装置（特許文献１参照）、また太陽電池パネルを設置し、太陽光で発電した電気エネルギーにより冷媒回路の電動圧縮機を駆動して空調を行う空気調和装置（特許文献２、３参照）、また太陽電池アレイを設置し、太陽光で発電した電気エネルギーによりヒートポンプを駆動して給湯を行う給湯装置（特許文献４参照）が提案されている。
【０００３】
一方、冷凍回路には、冷媒としてフロン（Ｒ１１、Ｒ１２、Ｒ１３４ａなど）が一般的に用いられていた。しかしながら、フロンは大気中に放出されると大きな温暖化効果やオゾン層破壊などの問題を有している。このため、近年、環境に与える影響の少ない他の自然冷媒、例えば、酸素（Ｏ2 ）、二酸化炭素（ＣＯ2）、ハイドロカーボン（ＨＣ）、アンモニア（ＮＨ3 ）、水（Ｈ2 Ｏ）を冷媒として用いる研究が行われている。
これら自然冷媒の内、酸素と水は、圧力が低くて冷凍回路の冷媒としては用いることが困難であり、アンモニアやハイドロカーボンは可燃性であるため、取り扱いが難しい問題がある。このため、二酸化炭素（ＣＯ2 ）を冷媒として用いた冷却装置が開発されてきている（特許文献５、６参照）。
【特許文献１】特開平６−１３５２２２号公報
【特許文献２】特開２００２−８９９９１号公報
【特許文献３】特開２０００−２８１７６号公報
【特許文献４】特開平８−２６５９８８号公報
【特許文献５】特開平１０−１９４０１号公報
【特許文献６】特公平７−１８６０２号公報
【発明の開示】
【発明が解決しようとする課題】
【０００４】
従来の太陽光で発電した電気エネルギーを利用する装置は冷凍用、空調用、給湯用など限られた用途に用いられるものであり、太陽光で発電した電気エネルギーにより作動する冷媒回路を備えた装置であって冷凍、空調、給湯などいずれも行うことができる装置はなかった。
【０００５】
本発明の目的は、太陽光で発電した電気エネルギーにより作動する冷媒回路を備えた装置であって、冷凍、冷房、暖房、貯湯、給湯などいずれも同時に行うことができる太陽光発電装置搭載冷温熱利用装置を提供することである。
【課題を解決するための手段】
【０００６】
上記課題を解消するための本発明の請求項１に記載の太陽光発電装置搭載冷温熱利用装置は、太陽電池パネルを備えた太陽光発電装置と、前記太陽光発電装置で発電した電気エネルギーにより作動する二酸化炭素を冷媒として用いた冷媒回路を有する冷温熱発生装置と、前記冷温熱発生装置で発生した冷熱および温熱を利用するための装置を備えたことを特徴とする。
【０００７】
本発明の請求項２に記載の太陽光発電装置搭載冷温熱利用装置は、請求項１記載の太陽光発電装置搭載冷温熱利用装置において、前記冷温熱発生装置で発生した冷熱および温熱を蓄える蓄冷温熱装置を備えたことを特徴とする。
【０００８】
本発明の請求項３に記載の太陽光発電装置搭載冷温熱利用装置は、請求項１あるいは請求項２記載の太陽光発電装置搭載冷温熱利用装置において、前記冷熱および温熱を利用するための装置が、製氷、蓄冷熱、冷凍、冷暖房、給湯、貯湯から選ばれる少なくとも１つであることを特徴とする。
【０００９】
本発明の請求項４に記載の太陽光発電装置搭載冷温熱利用装置は、請求項１から請求項３のいずれかに記載の太陽光発電装置搭載冷温熱利用装置において、前記太陽光発電装置で発電した電気エネルギーを蓄える蓄電池を備え、前記蓄電池の電気エネルギーにより前記冷温熱発生装置の冷媒回路を作動させることを特徴とする。
【発明の効果】
【００１０】
本発明の請求項１に記載の太陽光発電装置搭載冷温熱利用装置は、太陽電池パネルを備えた太陽光発電装置と、前記太陽光発電装置で発電した電気エネルギーにより作動する二酸化炭素を冷媒として用いた冷媒回路を有する冷温熱発生装置と、前記冷温熱発生装置で発生した冷熱および温熱を利用するための装置を備えたことを特徴とするものであり、
二酸化炭素を冷媒として用いた内部中間圧型多段（２段）圧縮式圧縮機を使用した場合、冷媒圧力は例えば高圧側で約１０ＭＰａに達し、前記圧縮機の外部に吐出された冷媒ガスの温度は、例えば約１３０℃の高温となり、そして二酸化炭素冷媒は蒸発器で蒸発して十分な冷熱を発生して、冷却作用を発揮するので、前記冷温熱発生装置で発生した冷熱を利用して、製氷、冷凍、冷房などを行うことができるとともに、前記冷温熱発生装置で発生した温熱を利用して、暖房、貯湯、給湯などを行うことができるという、顕著な効果を奏する。
【００１１】
本発明の請求項２に記載の太陽光発電装置搭載冷温熱利用装置は、請求項１記載の太陽光発電装置搭載冷温熱利用装置において、前記冷温熱発生装置で発生した冷熱および温熱を蓄える蓄冷温熱装置を備えたことを特徴とするものであり、  前記蓄冷温熱装置に蓄えたエネルギーを利用して夜間、雨や曇りの日にも製氷、冷凍、冷房、暖房、給湯などを行うことができるという、さらなる顕著な効果を奏する。
【００１２】
本発明の請求項３に記載の太陽光発電装置搭載冷温熱利用装置は、請求項１あるいは請求項２記載の太陽光発電装置搭載冷温熱利用装置において、前記冷熱および温熱を利用するための装置が、製氷、蓄冷熱、冷凍、冷暖房、給湯、貯湯から選ばれる少なくとも１つであることを特徴とするものであり、
前記冷熱および温熱を利用するための装置を利用して製氷、蓄冷熱、冷凍、冷暖房、給湯、貯湯を行うことができるという、さらなる顕著な効果を奏する。
【００１３】
本発明の請求項４に記載の太陽光発電装置搭載冷温熱利用装置は、請求項１から請求項３のいずれかに記載の太陽光発電装置搭載冷温熱利用装置において、前記太陽光発電装置で発電した電気エネルギーを蓄える蓄電池を備え、前記蓄電池の電気エネルギーにより前記冷温熱発生装置の冷媒回路を作動させるようにしたので、夜間、雨や曇りの日にも前記冷温熱発生装置で発生した冷熱を利用して、製氷、冷凍、冷房などを行うことができ、前記冷温熱発生装置で発生した温熱を利用して、暖房、給湯などを行うことができるという、さらなる顕著な効果を奏する。
【発明を実施するための最良の形態】
【００１４】
次に本発明を図を用いて実施の形態に基づいて詳細に説明する。
［第１の実施の形態］
図１は、本発明の太陽光発電装置搭載冷温熱利用装置の１例を模式的に説明する説明図である。
図２は、図１に示した本発明の太陽光発電装置搭載冷温熱利用装置の冷媒回路を有する冷温熱発生装置の１例を説明する説明図である。
図３は、図２の冷媒回路のｐ−ｈ線図である。
【００１５】
図１に示したように本発明の太陽光発電装置搭載冷温熱利用装置１は、太陽電池パネル２を備え、太陽電池パネル２で太陽光を受けて発電した直流電力はケーブル３を介してパワーコンデイショナー４に入力され、そこで交流電力に変換する太陽光発電装置５を備えている。さらに、太陽光発電装置搭載冷温熱利用装置１は、太陽光発電装置５で発電した電気エネルギーにより作動する冷媒回路を有する冷温熱発生装置６、冷温熱発生装置６で発生した冷熱を利用して製氷する製氷装置７、冷温熱発生装置６で発生した冷熱を蓄える蓄冷熱装置８、冷温熱発生装置６で発生した冷熱および温熱を利用して冷房、暖房を行う空調装置９が配置されて１つの断熱函体２０の中に収納されて、備えている。
本発明で用いる太陽電池パネル２、パワーコンデイショナー４、製氷装置７、蓄冷熱装置８、空調装置９などは市販品を用いることができる。
【００１６】
そして、パワーコンデイショナー４からの交流電力はケーブル２１を介して冷温熱発生装置６の圧縮機１０や各ファン１５１、１５２、１５９など、製氷装置７、蓄冷熱装置８、空調装置９の各駆動源に入力されて、図示しない制御装置によりそれぞれの目的に合わせて制御して作動するようになっている。
【００１７】
図２において、二酸化炭素（ＣＯ2 ）を冷媒として使用する内部中間圧型多段（２段）圧縮式ロータリ圧縮機１０は冷媒回路を有する冷温熱発生装置６の一部を構成する。
圧縮機１０は、例えばアルミニウム系金属からなる円筒状の密閉容器１２内の電動要素１４とこの電動要素１４の回転軸１６で駆動される下段の回転圧縮要素３２および上段の回転圧縮要素３４を備えて構成されており、密閉容器１２は底部が各摺動部へ潤滑油を送って潤滑するための潤滑油の溜めとなっている。
圧縮機１０は冷媒導入管９４から吸い込まれた冷媒ガスを１段目の下段の回転圧縮要素３２で圧縮して、密閉容器１２内に吐出し、この密閉容器１２内の中間圧の冷媒ガスを冷媒導入管９２から一旦中間冷却回路１５０に吐出し、中間冷却用熱交換器（インタークーラ）（温熱発生装置）１５９を通過することにより、冷媒ガスはファン１５１により空冷され、２段目の上段の回転圧縮要素３４に吸い込まれて圧縮され、２段目の圧縮にて高圧となった冷媒ガスは、冷媒吐出管９６から吐出され、ファン１５１によりガスクーラ（温熱発生装置）１５４で空冷される。
【００１８】
ファン１５１により送風され中間冷却用熱交換器（インタークーラ）１５９およびガスクーラ１５４に接触して熱交換して加熱された空気は温風として空調を行う空調装置９に送られ空調に制御して利用される。
二酸化炭素を冷媒として用いたので、例えば冷媒圧力は高圧側で約１０ＭＰａに達し、外部に吐出された冷媒ガスの温度は例えば約１３０℃となる。
【００１９】
このガスクーラ１５４から出た冷媒は、第１熱交換器１６０にて蒸発器（冷熱発生装置）１５７を出た冷媒と熱交換した後、膨張弁１５６を経て蒸発器１５７に入り、蒸発し、冷却作用を発揮する。
そしてファン１５２により送風され蒸発器１５７に接触して熱交換して冷却された空気は冷風として空調を行う空調装置９に送られ空調に制御して利用される他、発生した冷熱は製氷装置７に送られ、製氷装置７に水が供給されると水が冷熱を吸収することにより凍結して氷となり製氷が行われ、製氷された氷を製氷装置７から経路１５８を経て蓄冷熱装置８に蓄え、蓄えられた氷はいわゆる氷として利用することもできるが、蓄冷熱装置８にフアン１５９により送風すれば、蓄冷熱装置８の氷に接触して熱交換して冷却され、空気は冷風となり空調装置９の空調に制御して利用することができる。
蒸発器１５７で蒸発した冷媒は、再度内部熱交換器１６０を経て、前記高圧側の冷媒から熱を奪い、加熱作用を受け、完全に気体の状態となって冷媒導入管９４から下段の回転圧縮要素３２に吸い込まれるサイクルを繰り返す。
【００２０】
この場合の動作を図３のｐ−ｈ線図を参照して説明する。
下段の回転圧縮要素３２で圧縮されて（エンタルピーをΔｈ３得て）中間圧となり、密閉容器１２内に吐出された冷媒は（図３の（２）の状態）、冷媒導入管９２から出て中間冷却回路１５０に流入する。そして、この中間冷却回路１５０が通過する中間冷却用熱交換器１５９に流入し、そこで空冷方式により放熱される（図３の（３）の状態）。ここで中間圧の冷媒は中間冷却用熱交換器１５９にて図３に示すようにエンタルピーをΔｈ１失う。
その後、上段の回転圧縮要素３４に吸い込まれて２段目の圧縮が行われて高圧高温の冷媒ガスとなり、冷媒吐出管９６より外部に吐出される。このとき、冷媒は適切な超臨界圧力まで圧縮されている（図３の（４）の状態）。
【００２１】
冷媒吐出管９６から吐出された冷媒ガスはガスクーラ１５４に流入し、そこで空冷方式により放熱された後（図３の（５’）の状態）、第１熱交換器１６０を通過する。冷媒はそこで低圧側の冷媒に熱を奪われて更に冷却される（図３の（５）の状態）（エンタルピーをΔｈ２失う）。その後冷媒は膨張弁１５６にて減圧され、その過程でガス／液混合状態となり（図３の（６）の状態。）、次に、蒸発器１５７に流入して蒸発する（図３の（１’）の状態）。蒸発器１５７から出た冷媒は第１熱交換器１６０を通過し、そこで前記高圧側の冷媒から熱を奪って加熱される（図３の（１）の状態）（エンタルピーをΔｈ２得る）。
そして、第１熱交換器１６０で加熱された冷媒は冷媒導入管９４からロータリ圧縮機１０の下段の回転圧縮要素３２内に吸い込まれるサイクルを繰り返す。
【００２２】
回転軸１６にはその中央に圧縮要素３２、３４や軸受などの各摺動部に潤滑油を供給する図示しない給油孔が設けられているとともに、回転軸１６の下端に前記給油孔に連通するオイルピックアップが取付けられており、その下端を潤滑油溜の潤滑油中に浸漬させてある。オイルピックアップはオイル供給能力を向上させる図示しないパドルと一体に形成されている。
回転軸１６が回転されると潤滑油溜中の潤滑油は回転軸１６の回転により生じる遠心力により回転軸１６の下端に取付けられたオイルピックアップから前記給油孔を経て軸受や圧縮要素３２、３４の各摺動部に供給され、各摺動部を潤滑した後、潤滑油溜中に戻り、循環して使用される。
一方、冷媒吐出管９６から吐出された冷媒ガス中に同伴された潤滑油は冷媒とともに冷媒回路を経て冷媒導入管９４から圧縮機１０の下段の回転圧縮要素３２内に吸い込まれ摺動部を潤滑する。
【００２３】
上記説明においては２段圧縮式ロータリ圧縮機について説明したが、圧縮機の形式は特に限定されず、具体的には、レシプロ式圧縮機、振動式圧縮機、マルチベーン式ロータリ圧縮機、スクロール式圧縮機などであってもよく、また圧縮段数は少なくとも１段以上であればよい。
【００２４】
また上記説明においては蒸発器を出た冷媒を第１熱交換器を通過させて高圧側の冷媒と熱交換させることで完全に気体の状態とする例について説明したが、第１熱交換器を用いる代わりに蒸発器の出口側と圧縮機の吸込側との間の低圧側にレシーバタンクを配設してもよい。
【００２５】
［第２の実施の形態］
図４は、本発明の太陽光発電装置搭載冷温熱利用装置の他の例を模式的に説明する説明図である。
図５は、図４に示した本発明の太陽光発電装置搭載冷温熱利用装置の冷媒回路を有する冷温熱発生装置の例を説明する説明図である。
【００２６】
図４に示したように本発明の太陽光発電装置搭載冷温熱利用装置１Ａは、太陽電池パネル２を備え、太陽電池パネル２で太陽光を受けて発電した直流電力はケーブル３を介してパワーコンデイショナー４に入力されそこで交流電力に変換する太陽光発電装置５を備えており、さらに、太陽光発電装置５で発電した電気エネルギーにより作動する冷媒回路を有する冷温熱発生装置６、冷温熱発生装置６で発生した冷熱および温熱を利用して空調を行う空調装置９、冷温熱発生装置６で発生した温熱を利用して給湯する給湯装置２２が配置されて１つの断熱函体２０の中に収納されて、これら各装置を備えている。２３は、給湯装置２２中の熱湯を蓄える貯湯器である。
本発明で用いる太陽電池パネル２、パワーコンデイショナー４、空調装置９、給湯装置２２、貯湯器２３などは市販品を用いることができる。
【００２７】
そして、パワーコンデイショナー４からの交流電力はケーブル２１を介して冷温熱発生装置６の圧縮機１０や各ファン１５１、１５２など、空調装置９、給湯装置２２、貯湯器２３などの各駆動源に入力されて、図示しない制御装置によりそれぞれの目的に合わせて制御して利用するようになっている。
【００２８】
図５において、二酸化炭素（ＣＯ2 ）を冷媒として使用する内部中間圧型多段（２段）圧縮式ロータリ圧縮機１０は冷媒回路を有する冷温熱発生装置６の一部を構成する。
圧縮機１０は、例えばアルミニウム系金属からなる円筒状の密閉容器１２内の電動要素１４とこの電動要素１４の回転軸１６で駆動される下段の回転圧縮要素３２および上段の回転圧縮要素３４を備えて構成されており、密閉容器１２は底部を各摺動部へ潤滑油を送って潤滑するための潤滑油の溜めとなっている。
圧縮機１０は冷媒導入管９４から吸い込まれた冷媒ガスを１段目の下段の回転圧縮要素３２で圧縮して、密閉容器１２内に吐出し、この密閉容器１２内の中間圧の冷媒ガスを冷媒導入管９２から一旦中間冷却回路１５０に吐出し、中間冷却用熱交換器（インタークーラ）（温熱発生装置）１５９を通過することにより、冷媒ガスはファン１５１により空冷され、２段目の上段の回転圧縮要素３４に吸い込まれて圧縮され、２段目の圧縮にて高圧となった冷媒ガスは、冷媒吐出管９６から吐出される。二酸化炭素を冷媒として用いたので、例えば冷媒圧力は高圧側で約１０ＭＰａに達し、外部に吐出された冷媒ガスの温度は例えば約１３０℃となる。このとき、冷媒は適切な超臨界圧力まで圧縮されている。吐出された冷媒はファン１５１によりガスクーラ（温熱発生装置）１５４で空冷される（冷媒ガスの温度は例えば約４０℃となる）。
ファン１５１により送風され中間冷却用熱交換器（インタークーラ）１５９およびガスクーラ１５４に接触して熱交換して加熱された空気は温風として空調を行う空調装置９に送られ空調に制御して利用される。
【００２９】
また、図示しない水供給装置によりガスクーラ１５４に供給された水はガスクーラ１５４に接触して熱交換して加熱されて熱湯となり経路１６１を経て給湯装置２２に送られる。給湯装置２２の熱湯は経路１６２を経て外部に取り出して利用することができる。また給湯装置２２の熱湯は経路１６３を経て貯湯器２３に蓄えることができる。貯湯器２３に蓄えた熱湯は経路１６４を経て外部に取り出して利用することができる。
【００３０】
そして、ガスクーラ１５４に接触して放熱した後、冷媒ガスは第１熱交換器１６０を通過する。冷媒はそこで低圧側の冷媒に熱を奪われて更に冷却される。
第１熱交換器１６０で冷却された高圧側の冷媒ガスは膨張弁１５６に至り、圧力低下により、ガス／液体の二相混合体とされ、その状態で蒸発器１５７内に流入し、冷媒は蒸発し、冷却作用を発揮する。ファン１５２により送風され蒸発器１５７に接触して熱交換して冷却された空気は冷風として空調装置９の空調に制御して利用される。
その後、冷媒は蒸発器１５７から流出して、第１熱交換器１６０を通過し、前記高圧側の冷媒から熱を奪い、加熱作用を受け、冷媒は完全に気体の状態となって冷媒導入管９４から圧縮機１０に吸い込まれるサイクルを繰り返す。
図５に示した冷媒回路のｐ−ｈ線図は、図３に示したｐ−ｈ線図と略同じである。
【００３１】
［第３の実施の形態］
図示しないが、本発明の太陽光発電装置搭載冷温熱利用装置の第３の実施の形態は、前記第１の実施の形態の本発明の太陽光発電装置搭載冷温熱利用装置１および前記第２の実施の形態の本発明の太陽光発電装置搭載冷温熱利用装置１Ａを組み合わせて一体化して小型化したものである。
すなわち、図示しない第３の実施の形態の本発明の太陽光発電装置搭載冷温熱利用装置は、太陽光発電装置５で発電した電気エネルギーにより作動する冷媒回路を有する冷温熱発生装置６、冷温熱発生装置６で発生した冷熱を利用して製氷する製氷装置７、冷温熱発生装置６で発生した冷熱を蓄える蓄冷熱装置８、冷温熱発生装置６で発生した冷熱および温熱を利用して空調を行う空調装置９、冷温熱発生装置６で発生した温熱を利用して給湯する給湯装置２２、給湯装置２２中の熱湯を蓄える貯湯器２３が配置されて１つの断熱函体２０の中に収納されて、これら各装置を備えている。
太陽光発電装置５で発電した電気エネルギーにより冷温熱発生装置６の冷媒回路を作動させ冷温熱発生装置６で発生した冷温熱を利用するための前記各装置を用いて、製氷、蓄冷熱、冷凍、冷暖房、給湯、貯湯などを行うことができる。
【００３２】
［第４の実施の形態］
第４の実施の形態の本発明の太陽光発電装置搭載冷温熱利用装置は、図示しないが第３の実施の形態の本発明の太陽光発電装置搭載冷温熱利用装置において、太陽光発電装置５で発電した電気エネルギーを蓄える図示しない蓄電池を備えたものである。
前記蓄電池の電気エネルギーにより冷温熱発生装置６の冷媒回路を作動させるようにすれば、夜間、雨や曇りの日にも冷温熱発生装置６で発生した冷温熱を利用するための前記各装置を用いて、製氷、蓄冷熱、冷凍、冷暖房、給湯、貯湯などを行うことができる。
【００３３】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００３４】
例えば前記の実施の形態においては、太陽光発電装置４で発電した直流電力をパワーコンデイショナ４に入力して交流電圧に変換して使用した例を示したが、直流電力を交流電圧に変換することなく使用することもできる。
【産業上の利用可能性】
【００３５】
本発明の太陽光発電装置搭載冷温熱利用装置は、太陽電池パネルを備えた太陽光発電装置と、前記太陽光発電装置で発電した電気エネルギーにより作動する冷媒回路を有する冷温熱発生装置と、前記冷温熱発生装置で発生した冷熱および温熱を利用するための装置を備え、そして前記冷媒回路の冷媒として二酸化炭素を用いたので、前記冷温熱発生装置で発生した冷熱を利用するための装置を用いて、製氷、冷凍、冷房などを行うことができるとともに、前記冷温熱発生装置で発生した温熱を利用するための装置を用いて、暖房、給湯などを行うことができるという、顕著な効果を奏するので、産業上の利用価値が高い。
【図面の簡単な説明】
【００３６】
【図１】本発明の太陽光発電装置搭載冷温熱利用装置の１例を模式的に説明する説明図である。
【図２】図１に示した本発明の太陽光発電装置搭載冷温熱利用装置の冷媒回路を有する冷温熱発生装置の１例を説明する説明図である。
【図３】図２の冷媒回路のｐ−ｈ線図である。
【図４】本発明の太陽光発電装置搭載冷温熱利用装置の他の例を模式的に説明する説明図である。
【図５】図４に示した本発明の太陽光発電装置搭載冷温熱利用装置の冷媒回路を有する冷温熱発生装置の例を説明する説明図である。
【符号の説明】
【００３７】
１、１Ａ  太陽光発電装置搭載冷温熱利用装置
２  太陽電池パネル
５  太陽光発電装置
６  冷温熱発生装置
７  製氷装置
８  蓄冷熱装置
９  空調装置
２２  給湯装置
２３  貯湯器
【図１】
2006200821.tif 000003
【図２】
2006200821.tif 000004
【図３】
2006200821.tif 000005
【図４】
2006200821.tif 000006
【図５】
2006200821.tif 000007